【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
ソース基地局からターゲット基地局への移動局のハンドオーバを実行する方法であって、前記方法は、
前記ソース基地局において、前記ソース基地局および前記ターゲット基地局の間のコネクションの遅延を決定することと、
前記ソース基地局において、前記決定された遅延を考慮に入れてアクションタイムを算出することであって、前記アクションタイムは、前記ハンドオーバのために前記ターゲット基地局が前記移動局にリソースを割り当てることができる時間を指定する、ことと
を含む、方法。
【請求項２】
前記ハンドオーバのためにリソースを割り当てるために前記ターゲット基地局によって用いられる前記アクションタイムを前記ターゲット基地局に送信することをさらに含む、請求項１に記載の方法。
【請求項３】
前記ターゲット基地局に送信される前記アクションタイムは、第１のアクションタイムであり、
前記方法は、
前記決定された遅延を考慮に入れて、前記第１のアクションタイムとは異なる第２のアクションタイムを算出することと、
前記第２のアクションタイムを前記移動局に送信することにより、前記ハンドオーバのためにリソースの割り当てに関するメッセージを前記移動局が前記ターゲット基地局から受信するように予想される時間を前記移動局に示すことと
をさらに含む、請求項２に記載の方法。
【請求項４】
前記第１のアクションタイムに前記決定された遅延を加えたものに等しい時間において、前記移動局が前記ターゲット基地局からの前記メッセージの受信を予想することができるように、前記第２のアクションタイムは、前記決定された遅延を考慮に入れて算出される、請求項３に記載の方法。
【請求項５】
前記移動局は、前記ハンドオーバを実行するための処理時間を有し、前記処理遅延から前記決定された遅延を減算したものに等しい時間において、前記ターゲット基地局が前記メッセージを前記移動局に送信することができるように、前記第１のアクションタイムは、前記決定された遅延を考慮に入れて算出される、請求項３に記載の方法。
【請求項６】
前記方法は、第１のアクションタイムを前記ターゲット基地局から受信することをさらに含み、前記算出されたアクションタイムは、少なくとも前記第１のアクションタイムおよび前記決定れた遅延に基づいている、請求項１に記載の方法。
【請求項７】
前記算出されたアクションタイムは、前記移動局において前記ハンドオーバを実行するための処理時間にさらに基づいており、
前記算出されたアクションタイムは、
前記第１のアクションタイムが、前記処理時間よりも前記遅延だけ小さいもの以下である場合には、前記算出されたアクションタイムを前記処理時間よりも前記決定された遅延だけ小さいものに設定することと、
前記第１のアクションタイムが、前記処理時間よりも前記遅延だけ小さいもの以下でない場合には、前記算出されたアクションタイムを前記第１のアクションタイムに設定することと
によって算出される、請求項６に記載の方法。  
【請求項８】
前記算出されたアクションタイムは、前記移動局において前記ハンドオーバを実行するための処理時間にさらに基づいており、
前記算出されたアクションタイムは、
前記第１のアクションタイムから前記処理時間を減算したものが、前記処理時間から前記決定された遅延を減算したもの以下である場合には、前記算出されたアクションタイムを前記処理時間よりも前記遅延だけ小さいものに設定することと、
前記第１のアクションタイムから前記処理時間を減算したものが、前記処理時間から前記遅延を減算したものより小さくない場合には、前記算出されたアクションタイムを前記第１のアクションタイムよりも前記処理時間だけ小さいものに設定することと
によって算出される、請求項６に記載の方法。
【請求項９】
前記第１のアクションタイムを受信することは、
前記ターゲット基地局において算出された決定されたアクションタイムが、前記処理時間よりも第２の遅延だけ小さいもの以下である場合には、前記処理時間よりも前記ターゲット基地局において決定された前記コネクションの第２の遅延だけ小さいものに設定された前記第１のアクションタイムを受信することと、
前記決定されたアクションタイムが、前記処理時間よりも前記第２の遅延だけ小さいもの以下でない場合には、前記決定されたアクションタイムに設定された前記第１のアクションタイムを受信することと
を含む、請求項８に記載の方法。  
【請求項１０】
複数のターゲット基地局が利用可能であり、前記移動局は、複数のターゲット基地局に対してハンドオーバされることが可能であり、
前記方法は、前記複数のターゲット基地局から第１のアクションタイムを受信することをさらに含み、前記算出されたアクションタイムは、少なくとも前記第１のアクションタイムおよび前記決定された遅延に基づいている、請求項１に記載の方法。
【請求項１１】
前記遅延を決定することは、
前記ソース基地局がハンドオーバリクエストを前記ターゲット基地局に送信する際にタイマをスタートさせることと、
前記ハンドオーバリクエストに対するレスポンスを前記ターゲット基地局から受信することであって、前記レスポンスは、前記ターゲット基地局による前記ハンドオーバリクエストの受信および前記レスポンスの送信の間の時間を示す処理時間を含む、ことと、
前記レスポンスを受信した際に前記タイマを停止させることであって、前記タイマは、前記ソース基地局による前記ハンドオーバリクエストの送信および前記レスポンスの受信の間の経過時間を提供し、前記決定された遅延は、前記経過時間および処理時間に基づいている、ことと
を含む、請求項１に記載の方法。
【請求項１２】
前記遅延を決定することは、
前記ソース基地局によって前記ターゲット基地局に送信されたハンドオーバリクエストに対するレスポンスを前記ターゲット基地局から受信することであって、前記レスポンスは、前記レスポンスが前記ターゲット装置によって送信された時間を示す第１の時間を含む、ことと、
前記ソース基地局が前記レスポンスを受信した時間である第２の時間を記録することであって、前記決定された遅延は、前記第２の時間および前記第１の時間の間の差分に基づいている、ことと
を含む、請求項１に記載の方法。
【請求項１３】
ソース基地局から移動局のハンドオーバのためのターゲットであるターゲット基地局であって、前記ターゲット基地局は、
前記ソース基地局と通信するためのインターフェースと、
プロセッサと
を含み、
前記プロセッサは、
前記ターゲット基地局において算出された第１のアクションタイムを前記ソース基地局に送信することと、
前記第１のアクションタイムから修正された第２のアクションタイムを受信することであって、前記第２のアクションタイムは、前記ターゲット基地局および前記ソース基地局の間のコネクションによる算出された伝搬遅延に基づいている、ことと
を実行する、ターゲット基地局。
【請求項１４】
前記移動局は、前記ハンドオーバを実行するための処理時間に関連付けられており、
前記プロセッサは、
前記ソース基地局からハンドオーバリクエストを受信することであって、前記ハンドオーバリクエストは、前記処理時間を含む、ことと、
前記ターゲット基地局において、第２の伝搬遅延を算出することと
をさらに実行し、
前記第１のアクションタイムは、
前記ターゲット基地局の負荷に基づいてアクションタイムを決定することと、
前記決定されたアクションタイムが、前記処理時間よりも前記第２の伝搬遅延だけ小さいもの以下である場合には、前記第１のアクションタイムを前記処理時間よりも前記第２の伝搬遅延だけ小さいものに設定することと、
前記決定されたアクションタイムが、前記処理時間よりも前記第２の伝搬遅延だけ小さいもの以下でない場合には、前記第１のアクションタイムを前記決定されたアクションタイムに設定することと
によって算出される、請求項１３に記載のターゲット基地局。  
【請求項１５】
前記ハンドオーバリクエストは、前記ハンドオーバリクエストが前記ソース基地局によって送信された時間を示す第１の時間を含み、
前記プロセッサは、前記ハンドオーバリクエストが前記ターゲット基地局において受信された第２の時間を記録することをさらに実行し、前記第２の伝搬遅延は、前記第２の時間および前記第１の時間の間の差分に基づいている、請求項１３に記載のターゲット基地局。
【請求項１６】
前記プロセッサは、前記ハンドオーバリクエストに対するレスポンスを前記ソース基地局に送信することをさらに実行し、前記レスポンスは、該レスポンスが前記ターゲット基地局によって送信された時を示す時間を含み、前記レスポンスに含まれている前記時間は、前記ソース基地局が、前記ソース基地局において前記伝搬遅延を算出することを可能にする、請求項１５に記載のターゲット基地局。
【請求項１７】
前記プロセッサは、前記第２のアクションタイムに基づく時間において、高速レンジング情報要素を前記移動局に送信することを実行し、前記高速レンジング情報要素は、コンテンションベースでないレンジングのためのレンジングリクエストを前記移動局が送信することができる機会を識別する、請求項１３に記載のターゲット基地局。
【請求項１８】
前記高速レンジング情報要素は、アップリンクメッセージの割り当てのためのアップリンクマップ（ＵＬ−ＭＡＰ）メッセージの一部である、請求項１５に記載のターゲット基地局。
【請求項１９】
命令を含む少なくとも１つのコンピュータ読み取り可能な記憶媒体を含む装置であって、
前記命令が実行されると、
メッセージを移動局に送信することであって、前記メッセージは、前記移動局がレンジング情報をターゲット基地局から受信することを予想すべき時間を示す値を含み、前記レンジング情報は、前記移動局がレンジングリクエストを送信することができる時間を示す、ことと、
タイミング情報を前記ターゲット基地局に送信することであって、前記タイミング情報は、絶対時間を含み、前記タイミング情報は、前記ターゲット基地局が前記移動局に前記レンジング情報を送信すべき時間を決定するために用いられる、ことと
をソース基地局に実行させる、装置。
【請求項２０】
前記タイミング情報は、
（ａ）前記値から前記ソース基地局によって計算された絶対時間、および
（ｂ）前記値、および、前記値を含むメッセージが前記移動局に送信された時間を示す絶対時間
のうちの一方を含む、請求項１９に記載の装置。
【請求項２１】
命令を含む少なくとも１つのコンピュータ読み取り可能な記憶媒体を含む装置であって、
前記命令が実行されると、ソース基地局から移動局のハンドオーバのためのターゲットであるターゲット基地局に、
前記ターゲット基地局において算出された第１のアクションタイムを前記ソース基地局に送信することと、
前記第１のアクションタイムから修正された第２のアクションタイムを受信することであって、前記第２のアクションタイムは、前記ターゲット基地局および前記ソース基地局の間のコネクションによる算出された伝搬遅延に基づいている、ことと
を実行させる、装置。
【請求項２２】
ターゲット基地局と通信するためのインターフェースと、
プロセッサと
を含むソース基地局であって、
前記プロセッサは、
前記ソース基地局から前記ターゲット基地局にハンドオーバされるべき移動局にメッセージを送信することであって、前記メッセージは、前記移動局がレンジング情報をターゲット基地局から受信することを予想すべき時間を示す値を含み、前記レンジング情報は、前記移動局がレンジングリクエストを送信することができる時間を示す、ことと、
タイミング情報を前記ターゲット基地局に送信することであって、前記タイミング情報は、絶対時間を含み、前記タイミング情報は、前記ターゲット基地局が前記移動局に前記レンジング情報を送信すべき時間を決定するために用いられる、ことと
を実行する、ソース基地局。